(57)【特許請求の範囲】
【請求項１】
一つの端縁から突出した形状のタブを備える第１の電極と、袋状セパレータに収納され、かつ一つの端縁から突出した形状のタブを備える第２の電極とが交互に積み重ねられた積層構造を有する電極組立体をケース内に備える蓄電装置の製造方法であって、  前記ケースは前記電極組立体を収容したケース本体と、該ケース本体の開口部を閉塞する蓋とを有し、  前記袋状セパレータは、前記第２の電極を挟み込んで互いに対峙する第１のセパレータ部材及び第２のセパレータ部材と、  両方のセパレータ部材における前記第２の電極を取り囲む部分に存在する余剰部と、  前記袋状セパレータにおける前記タブの突出した端縁である第１の端縁に沿って存在し、両方のセパレータ部材の前記余剰部同士を溶着した第１の溶着部と、  前記第１の溶着部よりも前記第１の端縁寄りに位置し、両方のセパレータ部材を溶着していない第１の未溶着部と、  前記袋状セパレータにおける前記第１の端縁の対辺となる第２の端縁に沿って存在し、両方のセパレータ部材の前記余剰部同士を溶着した第２の溶着部と、  前記第２の溶着部よりも前記第２の端縁寄りに位置し、両方のセパレータ部材を溶着していない第２の未溶着部と、を備え、  前記袋状セパレータの面方向に沿い、かつ前記端縁に直交する方向への前記第１の未溶着部及び前記第２の未溶着部の寸法を幅とすると、以下の式、  第１の未溶着部の幅＞第２の未溶着部の幅が成立するように前記第１の溶着部及び前記第２の溶着部を形成し、  前記袋状セパレータと前記第１の電極とを交互に積み重ねて前記電極組立体を製造し、前記第１の電極及び前記第２の電極の前記タブそれぞれに導電部材を介して電極端子を接続するとともに、前記袋状セパレータの前記第１の端縁が積層されて構成された前記電極組立体のタブ側端面に対向されるように前記蓋を配置して該蓋に前記電極端子を固定することにより蓋端子組立体を製造し、  前記蓋端子組立体と一体化された前記電極組立体を前記ケース本体内に挿入し、前記蓋端子組立体を前記電極組立体に向けて押し込むことで、前記袋状セパレータの前記第１の端縁に存在する前記第１の未溶着部を介して前記電極組立体を前記ケース本体内に向けて押し込むことを特徴とする蓄電装置の製造方法。
【請求項２】
前記第１の電極及び前記第２の電極の前記タブを前記電極組立体の積層方向の一端に寄せ集めた後、積層方向の他端に向けて折り返すことによって第１の電極タブ群及び第２の電極タブ群を形成し、前記第１の電極タブ群及び前記第２の電極タブ群それぞれに前記導電部材を介して前記電極端子を接続する請求項１に記載の蓄電装置の製造方法。
【請求項３】
前記袋状セパレータの面方向に沿い、かつ前記端縁に直交する方向への前記第１の溶着部及び前記第２の溶着部の幅を溶着幅とすると、以下の式、  第１の溶着部の溶着幅≦第２の溶着部の溶着幅が成立するように前記第１の溶着部及び前記第２の溶着部を形成する請求項１又は請求項２に記載の蓄電装置の製造方法。
【請求項４】
前記第２の電極は正極電極である請求項１〜３のうちいずれか一項に記載の蓄電装置の製造方法。
【請求項５】
前記第１の溶着部を前記第１の端縁の延びる方向に沿って該第１の端縁の全体に形成し、前記第２の溶着部を前記第２の端縁の延びる方向に沿って該第２の端縁の全体に形成する請求項１〜４のうちいずれか一項に記載の蓄電装置の製造方法。
【請求項６】
前記蓄電装置は二次電池である請求項１〜請求項５のうちいずれか一項に記載の蓄電装置の製造方法。
【発明の詳細な説明】
【技術分野】
【０００１】  本発明は、第１の電極と、袋状セパレータに収納された第２の電極とが交互に積み重ねられた積層構造を有する電極組立体をケース内に備える蓄電装置の製造方法に関する。
【背景技術】
【０００２】
ＥＶ（Electric Vehicle）やＰＨＶ（Plug-in Hybrid Vehicle）などの車両には、走行用モータへの供給電力を蓄える蓄電装置としての二次電池が搭載されている。この種の二次電池としては、例えば正極電極と、負極電極と、これらを絶縁するセパレータとを、交互に積み重ねて電極組立体を形成する積層構造の二次電池が周知である。しかし、積層構造は、正極電極、負極電極、セパレータを、順に積み重ねていく製造工程を経るので、積み重ね工程の数が多くなる。よって、生産のタクトタイムが長く、生産性がよくないという課題があった。そこで、例えば正極電極を袋状セパレータの内部に予め収納しておくことにより、前述の積み重ね工程数を減らして、二次電池の生産性をよくする技術が考案されている（特許文献１等参照）。【０００３】
特許文献１において、袋状セパレータは、互いに対峙するシート状の第１セパレータ（セパレータ部材）とシート状の第２セパレータ（セパレータ部材）のはみ出し部を溶着して構成されている。また、袋状セパレータからは正極電極のタブが突出した状態にある。そして、正極電極を収納した袋状セパレータと負極電極の積み重ね工程は、電極組立体の底に位置することとなる袋状セパレータの端縁と負極電極の端縁とを、位置決め部材に当接させて位置合わせしながら行われる。また、袋状セパレータと負極電極の積み重ね工程は、袋状セパレータを、負極電極との積み重ね工程を行う位置まで搬送する工程も含み、袋状セパレータは、袋状セパレータの端縁を位置決め部材に当接させて、所定の位置に配置された後、搬送される。
【先行技術文献】
【特許文献】
【０００４】
【特許文献１】特開２０１６−５１５３３号公報
【発明の概要】
【発明が解決しようとする課題】
【０００５】
ところが、袋状セパレータを搬送する前の位置決め時や、負極電極及び袋状セパレータを積み重ねる際の位置決め時、袋状セパレータの端縁を位置決め部材に当接させたときに袋状セパレータの端縁が変形すると、袋状セパレータの搬送や、負極電極との位置合わせに支障を来す虞がある。このため、袋状セパレータにおいて、位置決め部材に当接される端縁に沿う溶着部の面積を大きくして、位置決め部材に当接する部分の剛性を高めることが考えられるが、溶着部の面積増加は溶着に要するエネルギ増大を招く。【０００６】  本発明の目的は、溶着部を形成するために要するエネルギを低減しつつ、積層時の位置合わせを精度良く行うことができる蓄電装置の製造方法を提供することにある。
【課題を解決するための手段】
【０００７】  上記問題点を解決するための蓄電装置の製造方法は、一つの端縁から突出した形状のタブを備える第１の電極と、袋状セパレータに収納され、かつ一つの端縁から突出した形状のタブを備える第２の電極とが交互に積み重ねられた積層構造を有する電極組立体を前記ケース内に備える蓄電装置の製造方法であって、前記ケースは前記電極組立体を収容したケース本体と、該ケース本体の開口部を閉塞する蓋とを有し、前記袋状セパレータは、前記第２の電極を挟み込んで互いに対峙する第１のセパレータ部材及び第２のセパレータ部材と、両方のセパレータ部材における前記第２の電極を取り囲む部分に存在する余剰部と、前記袋状セパレータにおける前記タブの突出した端縁である第１の端縁に沿って存在し、両方のセパレータ部材の前記余剰部同士を溶着した第１の溶着部と、前記第１の溶着部よりも前記第１の端縁寄りに位置し、両方のセパレータ部材を溶着していない第１の未溶着部と、前記袋状セパレータにおける前記第１の端縁の対辺となる第２の端縁に沿って存在し、両方のセパレータ部材の前記余剰部同士を溶着した第２の溶着部と、前記第２の溶着部よりも前記第２の端縁寄りに位置し、両方のセパレータ部材を溶着していない第２の未溶着部と、を備え、前記袋状セパレータの面方向に沿い、かつ前記端縁に直交する方向への前記第１の未溶着部及び前記第２の未溶着部の寸法を幅とすると、以下の式、第１の未溶着部の幅＞第２の未溶着部の幅が成立するように前記第１の溶着部及び前記第２の溶着部を形成し、前記袋状セパレータと前記第１の電極とを交互に積み重ねて前記電極組立体を製造し、前記第１の電極及び前記第２の電極の前記タブそれぞれに導電部材を介して電極端子を接続するとともに、前記袋状セパレータの前記第１の端縁が積層されて構成された前記電極組立体のタブ側端面に対向されるように前記蓋を配置して該蓋に前記電極端子を固定することにより蓋端子組立体を製造し、前記蓋端子組立体と一体化された前記電極組立体を前記ケース本体内に挿入し、前記蓋端子組立体を前記電極組立体に向けて押し込むことで、前記袋状セパレータの前記第１の端縁に存在する前記第１の未溶着部を介して前記電極組立体を前記ケース本体内に向けて押し込むことを要旨とする。【０００８】  これによれば、セパレータ部材の余剰部同士を溶着した溶着部は、１枚のセパレータ部材に比べると剛性が高くなる。第１の未溶着部の幅＞第２の未溶着部の幅の式から、溶着部に関し、第２の溶着部の面積が第１の溶着部の面積より大きくなり、第２の溶着部の剛性が第１の溶着部の剛性より高くなる。よって、袋状セパレータの搬送時や、第１の電極と、袋状セパレータに収納された第２の電極とを積み重ねる工程で第２の端縁の位置合わせのために、位置決め部材に袋状セパレータの第２の端縁を当接させた際、第２の溶着部により、第２の端縁付近が変形することを抑制でき、位置合わせ後に行われる袋状セパレータの搬送や、第１の電極と、袋状セパレータとの位置合わせを精度良く行うことが可能である。したがって、第１の電極と袋状セパレータの第２の端縁を同時に位置決め部材に当接させて位置決めする場合のみならず、電極収納セパレータの第２の端縁のみを位置��め部材に当接させて位置決めする場合にも同様の効果を得ることができる。そして、第２の溶着部の面積を第１の溶着部の面積より大きくする一方で、位置合わせに関与しない第１の端縁側では、第１の未溶着部の面積が第２の未溶着部の面積より大きくなり、袋状セパレータを製造する際に要するエネルギを低減できる。  また、蓄電装置の組立工程の一つに、第１の電極及び第２の電極のタブそれぞれに導電部材を介して電極端子を接続し、電極端子を蓋に固定して蓋端子組立体を製造した後、電極組立体をケース本体内に収容し、蓋をケース本体に接合する方法がある。この方法では、蓋端子組立体と電極組立体とは、タブを介して一体化された状態である。そして、蓋端子組立体と一体化された電極組立体をケース本体内に収容する場合、電極組立体の底側が、ケース本体の内底面付近に位置するまで蓋端子組立体によって電極組立体がケース本体内に押し込まれる。このとき、袋状セパレータの未溶着部に蓋端子組立体が当接し、未溶着部が撓む。この撓みによって、電極組立体をケース本体に押し込む力が吸収される。すると、電極組立体がケース本体に強く押し込まれることが抑制され、電極組立体がケース本体の内底面に衝突することが規制される。  また、前記第１の電極及び前記第２の電極の前記タブを前記電極組立体の積層方向の一端に寄せ集めた後、積層方向の他端に向けて折り返すことによって第１の電極タブ群及び第２の電極タブ群を形成し、前記第１の電極タブ群及び前記第２の電極タブ群それぞれに前記導電部材を介して前記電極端子を接続する。  また、前記袋状セパレータの面方向に沿い、かつ前記端縁に直交する方向への前記第１の溶着部及び前記第２の溶着部の幅を溶着幅とすると、以下の式、第１の溶着部の溶着幅≦第２の溶着部の溶着幅が成立するように前記第１の溶着部及び前記第２の溶着部を形成する。【０００９】  また、前記第２の電極は正極電極であるのが好ましい。  これによれば、負極電極と袋状セパレータの積層方向に見て、正極電極は、負極電極より小さい。よって、袋状セパレータに負極電極を収納する場合と比べると、溶着部の面積が減り、袋状セパレータを製造する際に要するエネルギを低減できる。【００１０】  また、前記第１の溶着部を前記第１の端縁の延びる方向に沿って該第１の端縁の全体に形成し、前記第２の溶着部を前記第２の端縁の延びる方向に沿って該第２の端縁の全体に形成する。【００１１】  これによれば、第１の端縁及び第２の端縁から袋状セパレータ内への異物の侵入を抑止できる。【００１９】
前記蓄電装置は二次電池である。
【発明の効果】
【００２０】
本発明によれば、溶着部を形成するために要するエネルギを低減しつつ、積層時の位置合わせを精度良く行うことができる。
【図面の簡単な説明】
【００２１】
【図１】実施形態の二次電池を示す断面図。
【図２】電極組立体の構成要素を示す分解斜視図。
【図３】袋状セパレータを示す平面図。
【図４】二次電池内を示す断面図。
【図５】位置決め部材によって位置合わせをする状態を示す図。
【図６】蓋端子組立体を介して電極組立体をケース本体内に押し込む状態を示す図。
【図７】別例の電極収納セパレータを示す平面図。
【発明を実施するための形態】
【００２２】
以下、蓄電装置を二次電池に具体化した一実施形態を図１〜図６にしたがって説明する。
図１に示すように、蓄電装置としての二次電池１０は、直方体状のケース１１を備え、このケース１１内には電極組立体１２が収容されている。ケース１１は、有底四角筒状の金属製（例えば、アルミニウム製又はアルミニウム合金製）のケース本体１１ａと、ケース本体１１ａの開口部を塞ぐ蓋１１ｂとを有する。ケース１１内には図示しない電解質（電解液）が収容されている。本実施形態の二次電池１０は、リチウムイオン二次電池である。
【００２３】
図２に示すように、電極組立体１２は、第１の電極としての負極電極２４と、負極電極２４とは極性の異なる第２の電極としての正極電極１４を収納した電極収納セパレータ２０と、を有する。電極組立体１２は、複数の電極収納セパレータ２０と複数の負極電極２４とを交互に積み重ねた積層構造を有する。電極収納セパレータ２０と負極電極２４を積み重ねた方向を積層方向とする。複数の正極電極１４と複数の負極電極２４とは、電極収納セパレータ２０の袋状セパレータ２１を間に挟んだ状態で交互に積層されている。本実施形態では、正極電極１４、袋状セパレータ２１、及び負極電極２４は、積層方向から見て矩形状である。
【００２４】
正極電極１４は、矩形シート状の正極金属箔（例えばアルミニウム箔）１５と、正極金属箔１５の両面の正極活物質を含む正極活物質層１６と、を有する。正極電極１４は、一対の長辺に沿う端縁のうちの一方の端縁に第１の端縁１４ａを有する。正極電極１４は、一つの端縁としての第１の端縁１４ａから突出した形状の正極タブ１７を有する。正極タブ１７は、正極金属箔１５において正極活物質層１６が塗工されず、正極金属箔１５そのもので構成された部分である。正極電極１４は、第１の端縁１４ａの対辺となる端縁に第２の端縁１４ｂを有し、第１の端縁１４ａと第２の端縁１４ｂ同士を繋ぐ一対の短辺に沿う端縁にそれぞれ第３の端縁１４ｃを有する。
【００２５】
負極電極２４は、矩形シート状の負極金属箔（例えば銅箔）２５と、負極金属箔２５の両面の負極活物質を含む負極活物質層２６と、を有する。負極電極２４は、一対の長辺に沿う端縁のうちの一方の端縁に第１の端縁２４ａを有する。負極電極２４は、一つの端縁としての第１の端縁２４ａから突出した形状の負極タブ２７を有する。負極タブ２７は、負極金属箔２５において負極活物質層２６が塗工されず、負極金属箔２５そのもので構成された部分である。負極電極２４は、第１の端縁２４ａの対辺となる端縁に第２の端縁２４ｂを有し、第１の端縁２４ａと第２の端縁２４ｂ同士を繋ぐ一対の短辺に沿う端縁にそれぞれ第３の端縁２４ｃを有する。
【００２６】
負極電極２４及び正極電極１４を積層方向から見て、負極電極２４の第１の端縁２４ａの長さは、正極電極１４の第１の端縁１４ａの長さより長く、負極電極２４の第２の端縁２４ｂの長さは、正極電極１４の第２の端縁１４ｂの長さより長い。さらに、負極電極２４の第３の端縁２４ｃの長さは、正極電極１４の第３の端縁１４ｃの長さより長い。よって、積層方向から見て負極電極２４は、正極電極１４より一回り大きい。
【００２７】
袋状セパレータ２１は、正極電極１４を間に挟んで互いに対峙する矩形シート状の第１のセパレータ部材と第２のセパレータ部材を溶着して形成されている。なお、第１のセパレータ部材と第２のセパレータ部材は同じ形状であるため、それぞれセパレータ部材２２として説明する。各セパレータ部材２２、何れも絶縁性を有する樹脂製（例えばポリエチレン製）である。
【００２８】
図３に示すように、袋状セパレータ２１は、正極電極１４の第１の端縁１４ａに平行な第１の端縁２１ａを有する。袋状セパレータ２１は、第１の端縁２１ａの対辺となる端縁に、正極電極１４の第２の端縁１４ｂに平行な第２の端縁２１ｂを有する。また、袋状セパレータ２１は、第１の端縁２１ａと第２の端縁２１ｂ同士を繋ぐ一対の端縁にそれぞれ第３の端縁２１ｃを有し、各第３の端縁２１ｃは、正極電極１４の第３の端縁１４ｃに平行である。
【００２９】
袋状セパレータ２１の各セパレータ部材２２は、正極電極１４の第１の端縁１４ａ、第２の端縁１４ｂ及び一対の第３の端縁１４ｃからはみ出した部分に余剰部２２ａを有する。各セパレータ部材２２の余剰部２２ａは正極電極１４を取り囲む四角環状である。余剰部２２ａにおいて、袋状セパレータ２１の面方向に沿い、かつ各端縁２１ａ〜２１ｃに直交する方向（以下、袋状セパレータ２１の直交方向とする）への寸法を余剰部２２ａの幅とすると、余剰部２２ａの幅は、第１の端縁２１ａに沿う部分と第２の端縁２１ｂに沿う部分とで同じである。
【００３０】
袋状セパレータ２１は、両方のセパレータ部材２２の余剰部２２ａ同士を溶着した溶着部を備える。袋状セパレータ２１は、余剰部２２ａにおける第１の端縁２１ａに沿う部分に第１の溶着部２３ａを備え、第２の端縁２１ｂに沿う部分に第２の溶着部２３ｂを備える。袋状セパレータ２１は、余剰部２２ａにおける各第３の端縁２１ｃに沿う余剰部２２ａに第３の溶着部２３ｃを備える。
【００３１】
第１の溶着部２３ａは、第１の端縁２１ａの延びる方向の一端から正極タブ１７に至るまでと、正極タブ１７から他端に至るまでとに存在している。第１の溶着部２３ａは、正極タブ１７を除いて第１の端縁２１ａの延びる方向に沿った第１の端縁２１ａの全体に存在する。
【００３２】
第２の溶着部２３ｂは、第２の端縁２１ｂの延びる方向に沿った第２の端縁２１ｂの全体に存在する。さらに、第３の溶着部２３ｃは、第１の溶着部２３ａと第２の溶着部２３ｂの端部同士を繋ぐ状態に存在する。よって、積層方向から見て、第１〜第３の溶着部２３ａ〜２３ｃは、袋状セパレータ２１の全周に亘って存在する。
【００３３】
そして、積層方向から見て、袋状セパレータ２１の直交方向において第１の溶着部２３ａは、正極電極１４の第１の端縁１４ａと、袋状セパレータ２１の第１の端縁２１ａとの間に存在する。第２の溶着部２３ｂは、正極電極１４の第２の端縁１４ｂと、袋状セパレータ２１の第２の端縁２１ｂとの間に存在する。第２の溶着部２３ｂは、正極電極１４の第２の端縁１４ｂから距離をおいた部分から、袋状セパレータ２１の第２の端縁２１ｂまでの部分である。第２の溶着部２３ｂは、袋状セパレータ２１の第２の端縁２１ｂ上にも存在している。さらに、積層方向から見て、袋状セパレータ２１の直交方向において第３の溶着部２３ｃは、正極電極１４の各第３の端縁１４ｃと、袋状セパレータ２１の各第３の端縁２１ｃとの間に存在する。各第３の溶着部２３ｃは、正極電極１４の第３の端縁１４ｃから距離をおいた部分から、袋状セパレータ２１の第３の端縁２１ｃまでの部分である。各第３の溶着部２３ｃは、袋状セパレータ２１の第３の端縁２１ｃ上にも存在している。
【００３４】
袋状セパレータ２１の直交方向への第１〜第３の溶着部２３ａ〜２３ｃの幅を溶着幅とする。第１の溶着部２３ａの溶着幅Ｗ１は、第２の溶着部２３ｂの溶着幅Ｗ２以下である。したがって、以下の式、
第１の溶着部２３ａの溶着幅Ｗ１≦第２の溶着部２３ｂの溶着幅Ｗ２
が成立する。本実施形態では、第１の溶着部２３ａの溶着幅Ｗ１は、第２の溶着部２３ｂの溶着幅Ｗ２より狭い。
【００３５】
また、第２の溶着部２３ｂの溶着幅Ｗ２は、第３の溶着部２３ｃの溶着幅Ｗ３と同じであり、以下の式、
第２の溶着部２３ｂの溶着幅Ｗ２＝第３の溶着部２３ｃの溶着幅Ｗ３
が成立する。よって、第１の溶着部２３ａの溶着幅Ｗ１は、第２の溶着部２３ｂの溶着幅Ｗ２及び第３の溶着部２３ｃの溶着幅Ｗ３より狭い。
【００３６】
袋状セパレータ２１は、余剰部２２ａにおける第１の端縁２１ａに沿う部分に第１の未溶着部２３ｄを備える。第１の未溶着部２３ｄは、袋状セパレータ２１の直交方向において、第１の溶着部２３ａよりも第１の端縁２１ａ寄りの部分である。第１の未溶着部２３ｄは、第１の端縁２１ａの延びる方向に沿って第１の端縁２１ａの全体に存在する。第１の未溶着部２３ｄは両方のセパレータ部材２２の余剰部２２ａ同士が溶着されていない部分のことである。
【００３７】
袋状セパレータ２１の直交方向への第１の未溶着部２３ｄの寸法を幅Ｗ４とする。この第１の未溶着部２３ｄの幅Ｗ４は、第１の溶着部２３ａの溶着幅Ｗ１より広い。余剰部２２ａのうちの多くを第１の未溶着部２３ｄが占めており、第１の溶着部２３ａの面積は第１の未溶着部２３ｄより小さい。一方、余剰部２２ａにおいて、袋状セパレータ２１の第２の端縁２１ｂに沿う部分には、第２の溶着部２３ｂしか存在せず、第２の未溶着部は存在しない。このため、本実施形態において、第２の未溶着部の幅Ｗ５はゼロである。したがって、第１の未溶着部２３ｄの幅Ｗ４は、第２の未溶着部の幅Ｗ５より広く、以下の式が成立する。
【００３８】
第１の未溶着部２３ｄの幅Ｗ４＞第２の未溶着部の幅Ｗ５
図１又は図４に示すように、電極組立体１２は、蓋１１ｂに対向した端面にタブ側端面１２ａを備えるとともに、タブ側端面１２ａに、正極タブ群１７ａ及び負極タブ群２７ａを備える。タブ側端面１２ａは、袋状セパレータ２１の第１の端縁２１ａの端縁が積層されて構成されている。正極タブ群１７ａは、正極タブ１７が積層されることによって構成され、負極タブ群２７ａは負極タブ２７が積層されることによって構成されている。正極タブ群１７ａ及び負極タブ群２７ａは、正極タブ１７及び負極タブ２７を電極組立体１２の積層方向の一端に寄せ集めた後、積層方向の他端に向けて折り返して形成されている。
【００３９】
図１に示すように、二次電池１０は、ケース１１の外側に突出するように蓋１１ｂに固定された正極端子３０と、ケース１１の外側に突出するように蓋１１ｂに固定された負極端子４０とを有する。負極端子４０は、負極端子４０のうちケース１１の内側に突出する端部に接合された金属製（例えば銅製）及び矩形板状の負極導電部材４２を介して、電極組立体１２の負極タブ群２７ａと電気的に接続されている。正極端子３０は、正極端子３０のうちケース１１の内側に突出する端部と電気的に接続された金属製（例えばアルミニウム製）及び矩形板状の正極導電部材３２を介して、電極組立体１２の正極タブ群１７ａに電気的に接続されている。
【００４０】
図１及び図４に示すように、二次電池１０は、負極導電部材４２及び正極導電部材３２と、蓋１１ｂとを絶縁する逆Ｕ字状の絶縁部材５０をケース１１内に備えている。
次に、二次電池１０の製造方法及び作用について説明する。
【００４１】
まず、電極組立体１２を製造する。
図５に示すように、袋状セパレータ２１に正極電極１４が収納された電極収納セパレータ２０と、負極電極２４とを積み重ねて電極組立体１２を製造する際、電極収納セパレータ２０及び負極電極２４は、各第２の端縁２１ｂ，２４ｂを位置決め部材６０に当接させ、位置合わせされる。
【００４２】
なお、位置決め部材６０は平面視矩形状の基台６１を備える。位置決め部材６０は基台６１の上面６１ａから立設された平面視Ｌ字状の第１ガイド６２を備える。一対の第１ガイド６２は、基台６１の長手方向に対向する位置に配設されている。各第１ガイド６２は、位置合わせ時、袋状セパレータ２１の各第３の端縁２１ｃ及び負極電極２４の各第３の端縁２４ｃに沿う第１ガイド面６２ａを備え、一対の第１ガイド面６２ａが、基台６１の長手方向に対向している。
【００４３】
また、一対の第１ガイド６２は、位置合わせ時、袋状セパレータ２１の第２の端縁２１ｂ及び負極電極２４の第２の端縁２４ｂに沿う第２ガイド面６２ｂを備え、一対の第２ガイド面６２ｂは、同一平面上に位置している。
【００４４】
また、位置決め部材６０は、位置合わせ時、袋状セパレータ２１の第３の端縁２１ｃ及び負極電極２４の第３の端縁２４ｃに沿う第２ガイド６３を基台６１に備える。各第２ガイド６３は、基台６１の短手方向において、各第１ガイド面６２ａと並んで配置されている。
【００４５】
そして、位置決め部材６０を用いて電極収納セパレータ２０及び負極電極２４を位置合わせしながら積み重ねる際、袋状セパレータ２１の第３の端縁２１ｃ及び負極電極２４の第３の端縁２４ｃを、第２ガイド６３及び第１ガイド面６２ａに摺接させて第２ガイド面６２ｂに向かうようにガイドする。そして、袋状セパレータ２１の第２の端縁２１ｂ及び負極電極２４の第２の端縁２４ｂが第２ガイド面６２ｂに当接すると、電極収納セパレータ２０及び負極電極２４の移動が規制され、電極収納セパレータ２０の第２の端縁２１ｂと、負極電極２４の第２の端縁２４ｂが面一となるように位置合わせされる。そして、所定枚数の電極収納セパレータ２０と負極電極２４が積み重ねられると電極組立体１２が製造される。
【００４６】
次に、電極組立体１２に正極タブ群１７ａ及び負極タブ群２７ａを製造し、正極タブ群１７ａに正極導電部材３２を溶接し、その正極導電部材３２に正極端子３０を溶接する。また、負極タブ群２７ａに負極導電部材４２を溶接した後、負極導電部材４２に負極端子４０を溶接する。次に、負極導電部材４２と正極導電部材３２に絶縁部材５０を被せた状態で、正極端子３０の雄ねじと負極端子４０の雄ねじを蓋１１ｂを貫通させ、正極の雄ねじにナット３１を螺合し、負極の雄ねじにナット４１を螺合する。すると、蓋１１ｂに正極端子３０及び負極端子４０が締結される。
【００４７】
その結果、図６に示すように、蓋１１ｂと、正極導電部材３２と、負極導電部材４２と、正極端子３０と、負極端子４０と、絶縁部材５０とが一体化されて蓋端子組立体５３が構成される。蓋端子組立体５３では、蓋１１ｂと各導電部材３２，４２とが絶縁部材５０によって絶縁されている。この蓋端子組立体５３と電極組立体１２とは、正極タブ群１７ａ及び負極タブ群２７ａによって繋がっている。
【００４８】
また、電極組立体１２においては、電極収納セパレータ２０における袋状セパレータ２１の第１の端縁２１ａは、負極電極２４の第１の端縁２４ａよりも蓋１１ｂに近い位置にある。よって、第１の未溶着部２３ｄは、第１の溶着部２３ａよりも蓋１１ｂに近い位置にある。
【００４９】
次に、電極組立体１２をケース本体１１ａの開口部からケース本体１１ａ内に挿入する。このとき、蓋１１ｂを電極組立体１２に向けて押し込み、袋状セパレータ２１の第１の端縁２１ａに存在する第１の未溶着部２３ｄを介して電極組立体１２をケース本体１１ａ内に向けて押し込む。蓋端子組立体５３を押す力は、正極タブ群１７ａ及び負極タブ群２７ａを介して電極組立体１２に伝わり、電極組立体１２の底側に位置した電極収納セパレータ２０の第２の端縁２１ｂ及び負極電極２４の第２の端縁２４ｂが、ケース本体１１ａの内底面に当接し、ケース本体１１ａ内への電極組立体１２の収容が完了する。その後、蓋１１ｂとケース本体１１ａとを接合してケース本体１１ａの開口部を閉塞すると、二次電池１０の組立が完了する。
【００５０】
上記実施形態によれば、以下のような効果を得ることができる。
（１）電極収納セパレータ２０の袋状セパレータ２１について、第１の未溶着部２３ｄの幅Ｗ４＞第２の未溶着部の幅Ｗ５が成立するようにした。このため、位置合わせの際、位置決め部材６０に当接する袋状セパレータ２１の第２の端縁２１ｂ側において、未溶着部を少なくする一方で、第２の溶着部２３ｂの面積を広く確保して剛性を高めることができる。このため、第１ガイド６２に第２の端縁２１ｂが当接しても、第２の溶着部２３ｂにより、第２の端縁２１ｂ付近が変形することを抑制できる。よって、負極電極２４と電極収納セパレータ２０との位置合わせを精度良く行うことが可能である。その一方で、位置合わせに関与しない第１の端縁２１ａ側では、第１の未溶着部２３ｄの面積が第２の未溶着部の面積より大きくなり、袋状セパレータ２１を製造する際に要するエネルギを低減できる。
【００５１】
（２）電極収納セパレータ２０は、正極電極１４を袋状セパレータ２１に収納している。積層方向から見て正極電極１４は負極電極２４より小さい。このため、負極電極２４を袋状セパレータ２１に収納した場合と比べると、溶着部の面積を小さくでき、溶着に要するエネルギを低減できる。
【００５２】
（３）第１〜第３の溶着部２３ａ〜２３ｃを、正極電極１４を取り囲むように四角環状に設けた。よって、袋状セパレータ２１内への異物の侵入を抑止できる。
（４）袋状セパレータ２１の第１の未溶着部２３ｄは、袋状セパレータ２１において正極タブ１７が突出する第１の端縁２１ａに存在する。この第１の端縁２１ａは、積層時の位置合わせの際、位置決め部材６０に当接することがない端縁であり、位置決め部材６０との当接に伴う応力が発生しにくい。したがって、第１の未溶着部２３ｄの面積を広くし、第１の溶着部２３ａの面積を第２の溶着部２３ｂの面積より狭くしても、第１の溶着部２３ａの剥がれが発生しにくい。
【００５３】
（５）第１の未溶着部２３ｄを第１の端縁２１ａの延びる方向に沿って第１の端縁２１ａの全体に設けた。このため、例えば、第１の未溶着部２３ｄに別の溶着部をさらに局所的に設ける場合と比べると、溶着面積を減らし、溶着の際に要するエネルギを低減できる。
【００５４】
（６）電極収納セパレータ２０の袋状セパレータ２１は、第１の端縁２１ａに沿って第１の溶着部２３ａ及び第１の未溶着部２３ｄを備え、第１の溶着部２３ａの溶着幅Ｗ１は、その他の溶着部２３ｂ，２３ｃの溶着幅Ｗ２，Ｗ３より短い。よって、例えば、第１〜第３溶着幅Ｗ１〜Ｗ３を全て同じにする場合と比べると、溶着幅Ｗ１が狭い分だけセパレータ部材２２同士を溶着する際に要するエネルギを低減できる。
【００５５】
（７）電極収納セパレータ２０においては、袋状セパレータ２１内への異物の侵入を抑止するため、第１〜第３の溶着部２３ａ〜２３ｃを第１〜第３の端縁２１ａ〜２１ｃの延びる方向に沿って各端縁に設けた。このように第１〜第３の端縁２１ａ〜２１ｃに沿って第１〜第３の溶着部２３ａ〜２３ｃを設ける構成において、第１の溶着部２３ａの溶着幅Ｗ１を他の溶着部より短くする構成は、溶着に要するエネルギを低減するのに効果的である。
【００５６】
（８）電極収納セパレータ２０の袋状セパレータ２１は、第１の端縁２１ａの延びる方向に沿う第１の端縁２１ａの全体に第１の未溶着部２３ｄを備える。この第１の未溶着部２３ｄにより、タブ側端面１２ａのクッション性を高めることができる。よって、二次電池１０の組立時、蓋端子組立体５３を押す力が第１の未溶着部２３ｄが撓むことで吸収され、電極組立体１２がケース本体１１ａの内底面に衝突することが規制される。その結果、電極組立体１２をケース本体１１ａ内に収容する際に、電極組立体１２の底側が損傷を受けることが抑制される。
【００５７】
（９）電極収納セパレータ２０において、第１の端縁２１ａに沿う第１の未溶着部２３ｄの幅Ｗ４は、第２の端縁２１ｂに沿う未溶着部の幅Ｗ５より広い。本実施形態では、第２の端縁２１ｂに沿って未溶着部を形成しない構成とした。このため、袋状セパレータ２１の第２の端縁２１ｂに未溶着部を設けた場合と比べると、第２の溶着部２３ｂの剛性を高めることができ、電極組立体１２の底がケース本体１１ａの内底面に当接したときに第２の溶着部２３ｂが変形しにくく、正極活物質層１６と負極活物質層２６とが袋状セパレータ２１を介して対向した状態を維持できる。
【００５８】
（１０）第２の溶着部２３ｂは、袋状セパレータ２１の第２の端縁２１ｂ上にも存在している。このため、袋状セパレータ２１の下端の剛性を高め、第１ガイド６２に第２の端縁２１ｂが当接しても、第２の溶着部２３ｂにより、第２の端縁２１ｂ付近が変形することを抑制できる。
【００５９】
なお、上記実施形態は以下のように変更してもよい。
○  実施形態では、電極収納セパレータ２０と、負極電極２４とを積み重ねて電極組立体１２を製造する際、電極収納セパレータ２０及び負極電極２４の各第２の端縁２１ｂ，２４ｂを位置決め部材６０に当接させた。しかし、電極収納セパレータ２０と負極電極２４の積層工程は、製造された電極収納セパレータ２０を収納ラックに搬送する工程や、電極収納セパレータ２０を、負極電極２４と積み重ねる工程を行う場所に搬送する工程も含む。
【００６０】
そして、製造された電極収納セパレータ２０を搬送する前、電極収納セパレータ２０は、搬送ラックに収納され、その後、電極収納セパレータ２０は搬送される。また、電極収納セパレータ２０を、負極電極２４と積み重ねる工程を行う場所に搬送する際に、電極収納セパレータ２０は吸着搬送装置に吸着されて搬送される。
【００６１】
電極収納セパレータ２０が収納ラックに収納された際、電極収納セパレータ２０の第２の端縁２１ｂが収納ラックに当接し、電極収納セパレータ２０を吸着搬送装置で吸着する前、電極収納セパレータ２０の位置決めのために、電極収納セパレータ２０の第２の端縁２１ｂは位置決め部材に当接する。収納ラックや位置決め部材に第２の端縁２１ｂが当接しても、第２の溶着部２３ｂにより、第２の端縁２１ｂ付近が変形することを抑制できる。
【００６２】
○  余剰部２２ａの第２の端縁２１ｂに沿う部分において、第２の溶着部２３ｂよりも第２の端縁２１ｂ側に第２の未溶着部が存在していてもよい。この場合、第２の未溶着部の幅Ｗ５は、第１の端縁２１ａに存在する第１の未溶着部２３ｄの幅Ｗ４より小さくするのが好ましい。
【００６３】
○  図７に示すように、余剰部２２ａの第２及び第３の端縁２１ｂ，２１ｃに沿う部分に未溶着部２３ｆを設けてもよい。この場合、第２の端縁２１ｂに沿う第２の未溶着部２３ｆの幅Ｗ５は、第１の端縁２１ａに存在する第１の未溶着部２３ｄの幅Ｗ４より狭くするのが好ましい。又は、余剰部２２ａの第１の端縁２１ａ及び第３の端縁２１ｃに沿う部分に未溶着部を設け、第２の端縁２１ｂに沿う部分には未溶着部を設けなくてもよい。このように構成した場合、余剰部２２ａにおいて、全てを溶着部とし、未溶着部を設けない場合と比べると、溶着に要するエネルギを低減できる。
【００６４】
○  第１の溶着部２３ａの溶着幅Ｗ１と、第２の溶着部２３ｂの溶着幅Ｗ２とは同じであってもよいし、溶着幅Ｗ１より溶着幅Ｗ２が大きくてもよい。要は、袋状セパレータ２１の第１の端縁２１ａに沿う余剰部２２ａに、第１の溶着部２３ａと第１の未溶着部２３ｄが存在すれば、第１の溶着部２３ａの溶着幅Ｗ１は適宜変更してもよい。
【００６５】
○  余剰部２２ａの第１の端縁２１ａに沿う部分において、正極タブ１７が存在する部分においてセパレータ部材２２と正極タブ１７とが溶着されていてもよい。
○  電極収納セパレータ２０は、袋状セパレータ２１に負極電極２４を収納したものであってもよい。この場合、正極電極１４が第１の電極となり、負極電極２４が第２の電極となる。
【００６６】
○  袋状セパレータ２１は、第３の溶着部２３ｃを備えず、第１の溶着部２３ａと第２の溶着部２３ｂのみを備える構成としてもよい。
○  負極電極２４は、負極金属箔２５の両面に負極活物質層２６を有するとしたが、負極金属箔２５の片面のみに負極活物質層２６を有していてもよい。同様に、正極電極１４は、正極金属箔１５の両面に正極活物質層１６を有するとしたが、正極金属箔１５の片面のみに正極活物質層１６を有していてもよい。
【００６７】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質と負極活物質との間をイオンが移動するとともに電荷の授受を行うものであればよい。
【００６８】
次に、上記実施形態及び別例から把握できる技術的思想について以下に追記する。
（１）前記第１の未溶着部は、前記第１の端縁の延びる方向に沿った前記第１の端縁の全体に存在する蓄電装置。
【００６９】
（２）前記溶着部は、前記袋状セパレータの端縁上にも存在する蓄電装置。
【符号の説明】
【００７０】
Ｓ…収納部、Ｗ１，Ｗ２，Ｗ３…溶着幅、Ｗ４，Ｗ５…幅、１０…蓄電装置としての二次電池、１１…ケース、１１ａ…ケース本体、１１ｂ…蓋、１２…電極組立体、１４…第２の電極としての正極電極、１４ａ…第１の端縁、１７…正極タブ、２１…袋状セパレータ、２１ａ〜２１ｃ…第１〜第３の端縁、２２…セパレータ部材、２２ａ…余剰部、２３ａ…第１の溶着部、２３ｂ…第２の溶着部、第３の溶着部２３ｃ、２３ｄ…第１の未溶着部、２４…第１の電極としての負極電極、２７…負極タブ、２４ａ…第１の端縁、３０…電極端子としての正極端子、３２…正極導電部材、４０…電極端子としての負極端子、４２…負極導電部材。
【図１】
0006669303.tif 000002
【図２】
0006669303.tif 000003
【図３】
0006669303.tif 000004
【図４】
0006669303.tif 000005
【図５】
0006669303.tif 000006
【図６】
0006669303.tif 000007
【図７】
0006669303.tif 000008